(57)【要約】【課題】  ポッティング樹脂の注入作業に起因する給電用配線の短絡を防止でき、また、ポッティング樹脂の本体ハウジング外への漏出しを防止でき、更には、コネクタへの電源線の着脱操作によるペルチェ素子の破損を防止できる静電霧化装置を提供する。【解決手段】  本体ハウジング６の内部において霧化電極３の下側にペルチェ素子４を配置する。ペルチェ素子４の周囲をポッティング樹脂７で封止する。自己保形性のある金属線材８ａで構成した給電用配線８をペルチェ素子４から側外方に延設する。給電用配線８を配置した配線収納通路９を本体ハウジング６を内外に連通するように形成する。給電用配線８に斜め上外方に向かう上傾斜部８０を形成すると共に、配線収納通路９に斜め上外方に向かう上傾斜路９０を設ける。配線収納通路９の下面の高さ位置をペルチェ素子４よりも上方位置に位置させる。【選択図】        図１
2007021371.tif 000002
【特許請求の範囲】
【請求項１】
高電圧発生装置と、高電圧発生装置にて印加された高電圧によって霧化用水を霧化させる霧化電極と、霧化電極にその冷却側を連結させて霧化電極の表面に上記霧化用水としての結露水を得るペルチェ素子と、ペルチェ素子の放熱側に連結させる放熱フィンを備えた静電霧化装置であって、本体ハウジングの内部において霧化電極の下側にペルチェ素子を配置し、ペルチェ素子の周囲をポッティング樹脂で封止し、自己保形性のある金属線材で構成した給電用配線をペルチェ素子から側外方に延設し、給電用配線を配置した配線収納通路を本体ハウジングを内外に連通するように形成し、給電用配線に斜め上外方に向かう上傾斜部を形成すると共に、配線収納通路に斜め上外方に向かう上傾斜路を設け、配線収納通路の下面の高さ位置をペルチェ素子よりも上方位置に位置させたことを特徴とする静電霧化装置。
【請求項２】
上記配線収納通路が開口する本体ハウジングの壁外面から外方に向けて一対の縦片を突設すると共にこれら縦片の各突出先端から縦片の対向方向にリップ片をそれぞれ突設し、壁外面と縦片とリップ片とで囲繞してコネクタ収納部を形成し、電源線が接続されるコネクタを給電用配線の先端に付設すると共に、このコネクタをコネクタ収納部に嵌合して収納したことを特徴とする請求項１記載の静電霧化装置。
【請求項３】
放熱フィンの上面に本体ハウジングを載置固定し、放熱フィンの上面と本体ハウジングの下面との間に弾性を有したリング状の樹脂漏れ防止材をペルチェ素子の側方を囲うようにして介装し、樹脂漏れ防止材の下面及び上面にそれぞれ全周に亙るリング突条を形成し、樹脂漏れ防止材の下面のリング突条を放熱フィンの上面に弾接すると共に、樹脂漏れ防止材の上面のリング突条を本体ハウジングの下面に弾接したことを特徴とする請求項１または２記載の静電霧化装置。
【発明の詳細な説明】
【技術分野】
【０００１】
本発明は、ペルチェ素子を用いた静電霧化装置に関するものである。
【背景技術】
【０００２】
従来から、霧化電極３に高電圧発生装置２にて高電圧を印加させることで霧化用水を霧化させる静電霧化装置１には、図８のように、霧化用水を使用者が補給する手間を省くべく、霧化用水としてペルチェ素子４の冷却作用で得た結露水を利用するものが知られている（たとえば特許文献１参照）。
【０００３】
この静電霧化装置１にあってペルチェ素子４を装備するには、ペルチェ素子４の熱応力による破損の防止や防水を期して、静電霧化装置１の本体ハウジング６内に配置したペルチェ素子４の周囲をポッティング樹脂で封止することが行われている。
【０００４】
ところで、ペルチェ素子４からは電源供給用の給電用配線８が延設されているが、この給電用配線８としては極性を違えた可撓性のある一対の金属線材８ａで構成されており、ポッティング樹脂７の注入圧で金属線材８ａが撓んで一対の金属線材８ａ同士が接触する状態となって給電用配線８が短絡するという恐れがあった。更に言うと、自重によって下方に撓んだ金属線材８ａを伝ってポッティング樹脂が本体ハウジング６外に漏れ出すという恐れもあった。
【０００５】
また、ユニット化した静電霧化装置１では、上記給電用配線８の先端にコネクタを付設し、このコネクタに電源線を着脱自在に接続することが行われるが、コネクタへの電源線の着脱時の衝撃が給電用配線８を介してペルチェ素子４に至り、特に給電用配線８とペルチェ素子４との接続部分を破損させてしまうといった恐れもあるものであった。
【特許文献１】特開２００５−１３１５４９号公報
【発明の開示】
【発明が解決しようとする課題】
【０００６】
本発明は上記の従来の問題点に鑑みて為したものであって、ポッティング樹脂の注入作業に起因する給電用配線の短絡を防止でき、また、ポッティング樹脂の本体ハウジング外への漏出しを防止でき、更には、コネクタへの電源線の着脱操作によるペルチェ素子の破損を防止できる静電霧化装置を提供することを課題とするものである。
【課題を解決するための手段】
【０００７】
上記課題を解決するために本発明の請求項１に係る静電霧化装置は、高電圧発生装置２と、高電圧発生装置２にて印加された高電圧によって霧化用水を霧化させる霧化電極３と、霧化電極３にその冷却側を連結させて霧化電極３の表面に上記霧化用水としての結露水を得るペルチェ素子４と、ペルチェ素子４の放熱側に連結させる放熱フィン５を備えた静電霧化装置１であって、本体ハウジング６の内部において霧化電極３の下側にペルチェ素子４を配置し、ペルチェ素子４の周囲をポッティング樹脂７で封止し、自己保形性のある金属線材８ａで構成した給電用配線８をペルチェ素子４から側外方に延設し、給電用配線８を配置した配線収納通路９を本体ハウジング６を内外に連通するように形成し、給電用配線８に斜め上外方に向かう上傾斜部８０を形成すると共に、配線収納通路９に斜め上外方に向かう上傾斜路９０を設け、配線収納通路９の下面の高さ位置をペルチェ素子４よりも上方位置に位置させたことを特徴とする。これによると、自己保形性のある金属線材８ａで給電用配線８を構成したことから、ポッティング樹脂７の注入圧によっても金属線材８ａが撓んで金属線材８ａ同士が短絡することを防止でき、また、給電用配線８に斜め上外方に向かう上傾斜部８０を形成し、この給電用配線８を収納した配線収納通路９に斜め上外方に向かう上傾斜路９０を形成すると共に配線収納通路９の下面の高さ位置をペルチェ素子４よりも上方位置に位置させたことから、ペルチェ素子４の周囲を封止するポッティング樹脂７が給電用配線８を伝って配線収納通路９内に入り込んだとしても、ポッティング樹脂７は配線収納通路９内で留まるものであって本体ハウジング６の外方に漏れ出すことを防止できる。
【０００８】
また、請求項２に係る静電霧化装置は、請求項１において、上記配線収納通路９が開口する本体ハウジング６の壁外面６９から外方に向けて一対の縦片７０を突設すると共にこれら縦片７０の各突出先端から縦片７０の対向方向にリップ片７１をそれぞれ突設し、上記壁外面６９と縦片７０とリップ片７１とで囲繞してコネクタ収納部１１を形成し、電源線が接続されるコネクタ１０を給電用配線８の先端に付設すると共に、このコネクタ１０をコネクタ収納部１１に嵌合して収納したことを特徴とする。これによると、コネクタ収納部１１に収納したコネクタ１０に電源線を押付けるように接続した際には上記押付力は上記壁外面６９で受けられ、またコネクタ１０から電源線を引張るように外した場合には上記引張り力はリップ片７１で受けられ、つまり、コネクタ１０への電源線の着脱時の衝撃はコネクタ収納部１１で受けられるからペルチェ素子４にまで至ることはなく、コネクタ１０への電源線の着脱時の衝撃によってペルチェ素子４が破損してしまうことを防止できる。
【０００９】
また、請求項３に係る静電霧化装置は、請求項１または２において、放熱フィン５の上面に本体ハウジング６を載置固定し、放熱フィン５の上面と本体ハウジング６の下面との間に弾性を有したリング状の樹脂漏れ防止材１２をペルチェ素子４の側方を囲うようにして介装し、樹脂漏れ防止材１２の下面及び上面にそれぞれ全周に亙るリング突条９３，９４を形成し、樹脂漏れ防止材１２の下面のリング突条９４を放熱フィン５の上面に弾接すると共に、樹脂漏れ防止材１２の上面のリング突条９３を本体ハウジング６の下面に弾接したことを特徴とする。これによると、ポッティング樹脂７はペルチェ素子４の周囲、すなわちリング状の樹脂漏れ防止材１２の内部に注入されるが、この樹脂漏れ防止材１２の上面及び下面に設けた各リング突条９３，９４は本体ハウジング６の下面及び放熱フィン５の上面にそれぞれ高い圧力で弾接されてシールされるから、ポッティング樹脂７が本体ハウジング６外に漏れ出すことを有効に防止できる。
【発明の効果】
【００１０】
本発明は、ポッティング樹脂の注入作業に起因する給電用配線の短絡を防止できる利点を有し、また、ポッティング樹脂の本体ハウジング外への漏出しを有効に防止できる利点を有し、更には、コネクタへの電源線の着脱操作によるペルチェ素子の破損を防止できる利点を有している。
【発明を実施するための最良の形態】
【００１１】
以下、本発明を添付図面に示す実施形態に基いて説明する。
【００１２】
静電霧化装置１は、高電圧発生装置２と、高電圧発生装置２にて印加された高電圧によって霧化用水を霧化させる霧化電極３と、霧化電極３にその冷却側を連結させて霧化電極３の表面に上記霧化用水としての結露水を得るペルチェ素子４と、ペルチェ素子４の放熱側に連結させる放熱フィン５を備えて構成されたもので、霧化電極３及びペルチェ素子４は本体ハウジング６に内装されると共に、この本体ハウジング６は放熱フィン５に載置固定されて一体化された静電霧化ユニット１ａを形成している。
【００１３】
本体ハウジング６は、図３や図６（ａ）のように、帯電除去処理が施された樹脂体であって、上下に開口する内部孔１３を形成した円筒状の筒部１４を有し、この筒部１４の下端部には平面視矩形状のフランジ部１５が側方に突設されている。なお、本体ハウジング６の下面には上方に凹む凹段部１６が形成されている。本体ハウジング６は、図４や図５のように、凹段部１６を除いた下面を放熱フィン５の上面に載置し、フランジ部１５の四隅に設けた貫通孔１７と放熱フィン５に設けたネジ孔１８とを合致させてワッシャ１９を介してネジ２０を上方から貫通孔１７、ネジ孔１８に順に挿通、螺入させることで、放熱フィン５の上面に載置固定されている。しかして、放熱フィン５と本体ハウジング６との間には凹段部１６によってハウジング内収納空間２１が形成されているのである。このハウジング内収納空間２１には後述のように霧化電極３の一部（絶縁伝熱板４０）やペルチェ素子４や、ペルチェ素子４の周囲を封止するポッティング樹脂７の本体ハウジング６外への漏れを防止する樹脂漏れ防止材１２等が配設される。なお、本体ハウジング６の側方部分には、後述の高電圧印加板を収納させる印加板収納部２２と、後述のペルチェ素子４から延設した給電用配線８を収納させる配線収納通路９やこの配線収納通路９に連通して後述の給電用配線８に付設したコネクタ１０を収納させるコネクタ収納部１１とが対向して設けられている。これら印加板収納部２２、配線収納通路９及びコネクタ収納部１１については後に詳述する。
【００１４】
ここで、放熱フィン５の上面に隙間を隔てて対向する凹段部１６の天井面には、内部孔１３の下方開口１３ａが開口している。この内部孔１３の下方開口１３ａは筒部１４の内周面に亙って内方に突出した縁突壁２３によって矩形孔状に形成されており、この矩形孔状の下方開口１３ａの対向する角部間には上記縁突壁２３の内端面から一対の桟材２４が各中央部で直交するようにしてそれぞれ架設されており、つまり一対の桟材２４で内部孔１３の下方開口１３ａは４つの小開口１３ａ１に分割されている。この一対の桟材２４の直交部分では上方に肉厚を落した薄肉部２５とされていると共に電極挿通孔２６が上下に貫通するように穿設されている。また、上記直交部分の周囲の桟材２４からはそれぞれ下方に垂下してその下面を後述の絶縁伝熱板４０に当接させるための突起状の脚部２７が突設されている。
【００１５】
霧化電極３は本例では金属製の針状の霧化用電極３０とこの霧化用電極３０に対向配置される対向電極３１とで構成されている。霧化用電極３０は高電圧発生装置２によって高電圧が印加されることで霧化用水を霧化させてナノメータサイズのミストを生成するための電極である。霧化電極３はこの霧化用電極３０のみで構成させてもナノメータサイズのミストを得ることができるが、本例では霧化用電極３０での霧化効率の向上やミストの安定放出に寄与する対向電極３１を採用して霧化電極３を構成させている。
【００１６】
詳しくは、対向電極３１は、図３のように、円環状の主体部３２の側方に接続片３３を一体に突設してなる板状の電極であり、図２のように、主体部３２に設けた複数の取付孔３４に本体ハウジング６の筒部１４の上端部から突設した各突起体２８をそれぞれ嵌合させて位置決めをして、内部孔１３の上方開口１３ｂに被せるように配設される。また、霧化用電極３０は、図３や図６（ｂ）のように、上下に延びる円棒状の主体部３５を有し、この主体部３５の上端には徐々に径を絞った絞り部３６が形成されると共に、絞り部３６の上方（すなわち霧化用電極３０の上端）には霧化用水が霧化される円紡錘形状の霧化部３７が形成されている。また、主体部３５の下部には主体部３５の径よりも径を多少大きくした径大部３８が形成され、この径大部３８の下方（すなわち霧化用電極３０の下端）には更に大幅に径を大きくした接地台３９が形成されており、この接地台３９の下面には熱伝導性が良好で電気的には絶縁となる水平板状の絶縁伝熱板４０が半田等で固着されている。この霧化用電極３０は、図１のように、主体部３５を桟材２４の電極挿通孔２６に挿通して桟材２４の脚部２７に下面に絶縁伝熱板４０を当接して、内部孔１３内から凹段部１６内に跨って本体ハウジング６に配設される。詳しくは、霧化用電極３０の霧化部３７は対向電極３１に対向するように筒部１４の内部孔１３内に位置し、接地台３９は内部孔１３の下方開口１３ａ内における桟材２４の薄肉部２５の下方位置に位置し、絶縁伝熱板４０はハウジング内収納空間２１の上部に位置するようになっている。
【００１７】
霧化電極３を構成する霧化用電極３０と対向電極３１との間には高電圧発生装置２にて高電圧が印加されるのであるが、対向電極３１にはその接続片３３に高電圧発生装置２が接続され、霧化用電極３０には高圧印加板４１を介して高電圧発生装置２が接続される。ここで、高圧印加板４１は、図３のように、一端が高電圧発生装置２に接続される装置接続部４２となって他端が霧化用電極３０に接続する電極接続部４３となる長尺の金属板であって、装置接続部４２を上位置に電極接続部４３を下位置にするべく長さ方向の中央部には傾斜段部４４が形成されている。なお便宜上、傾斜段部４４から電極接続部４３に至る部位を先端側部位４１ａと称し、傾斜段部４４から装置接続部４２に基端側部位４１ｂと称する。また、電極接続部４３ではスリットにて左右に二又状に分岐されてこのスリットには接続孔４５が形成されている。また、先端側部位４１ａには上下に貫通する位置決め貫通孔４６が穿設されている。この高圧印加板４１は、図１のように、本体ハウジング６の内外に亙る印加板収納部２２に収納配置されるのであり、装置接続部４２を本体ハウジング６の外に突出させて位置させると共に、電極接続部４３を本体ハウジング６内に配設された霧化用電極３０に接続させる。電極接続部４３の霧化用電極３０への接続は、上記本体ハウジング６の桟材２４の薄肉部２５と脚部２７にて確保された上記薄肉部２５の下方空間である内部孔１３の下方開口１３ａ内のスペースで行われるのであって、接続孔４５を霧化用電極３０の径大部３８に弾性的に嵌合させて電極接続部４３の下面を接地台３９の上面に当接させることで行われている。
【００１８】
印加板収納部２２は、本体ハウジング６に形成した本体側凹所４７と後述の印加板押え材２９とで形成される隙間空間である。印加板収納部２２の本体側凹所４７は、図６（ａ）のように、本体ハウジング６の下面から上方に凹ませてなる下方に開口せる凹所であって、凹段部１６の天井面から上方に凹没させた凹溝部４８と、この凹溝部４８に連通してフランジ部１５の下面を上方に凹没させた押え材挿入凹所４９とで形成されている。凹溝部４８はその一端が桟材２４より下方位置の筒部１４の内部孔１３の下方開口１３ａの内縁面に開口しており、この凹溝部４８の天井面と押え材挿入凹所４９の天井面とを外側上方に向けて傾斜せる天井面を有する傾斜凹部５０で連続されている。すなわち凹溝部４８の天井面よりも押え材挿入凹所４９の天井面が高い位置に位置されている。また、凹溝部４８の天井面からは下方に垂下した位置決め突起体５１が形成されている。押え材挿入凹所４９は下方のみならず本体ハウジング６の側外方にも開口しているが、この押え材挿入凹所４９の左右に対向する縦内面には上下に長い一対の縦突条５２が対向して突設されるのであり、また各縦内面には傾斜凹部５０の天井面に沿うように傾斜突条５３が突設されてこの傾斜突条５３の上端で各縦突条５２に連結されており、すなわち縦突条５２と傾斜突条５３との間に下方に開口せる三角溝５４が形成されている。
【００１９】
印加板押え材２９は、図３や図６（ｅ）のように、印加板収納部２２の本体側凹所４７に挿入配置される帯電除去処理が施されたブロック状の樹脂体であり、水平な底片５５の両端から背の低い内縦片５６と背の高い外縦片５７とが対向して立設され、内縦片５６及び外縦片５７の各左右中央部を連結する中央縦片５８が底片５５から立設され、内縦片５６の上部に外縦片５７側程上方に傾斜せる傾斜状部５６ａが形成され、内縦片５６と外縦片５７と中央縦片５８との間に上方且つ左右外方に開口せる一対の挿入溝５９が設けられている。この印加板押え材２９を本体側凹所４７の押え材挿入凹所４９内に配置するには、本体側凹所４７の各縦突条５２を対応する印加板押え材２９の挿入溝５９にそれぞれ上方から挿入すると共に、印加板押え材２９の内縦片５６の傾斜状部５６ａを本体側凹所４７の三角溝５４に下方から挿入することで行われる。
【００２０】
この印加板押え材２９を本体側凹所４７に配置した状態では、図１のように、印加板押え材２９の上面が本体側凹所４７の天井面に所定間隔で対向配置されるのであって、本体ハウジング６の内部分である筒部１４の内部孔１３の下方開口１３ａやハウジング内収納空間２１から本体ハウジング６の外部に至る印加板収納部２２を構成する隙間空間が、高圧印加板４１の形状に合致するように形成されるのである。つまり、本体ハウジング６に配設した高圧印加板４１は、本体ハウジング６の内部孔１３の下方開口１３ａ内で電極接続部４３が霧化用電極３０に接続され、先端側部位４１ａが本体側凹所４７の凹溝部４８に、傾斜段部４４が傾斜凹部５０に、基端側部位４１ｂが押え材挿入凹所４９にそれぞれ位置されるのであって、本体側凹所４７の押え材挿入凹所４９内に下方から印加板押え材２９を取付けることで、印加板収納部２２内に収納配設されるようになっている。なお、印加板収納部２２に配置した高圧印加板４１の位置決め貫通孔４６は凹溝部４８内に位置されて位置決め突起体５１に嵌合されるのであり、高圧印加板４１の強固な位置規制が行われている。
【００２１】
上記霧化用電極３０でミストを発生させるには霧化用水が必要であるが、本例の静電霧化装置１では、霧化用水を使用者が補給する手間を省いて霧化用水を自動的に賄うべく、霧化用水として霧化用電極３０の表面に発生させた結露水を利用するようにされており、霧化用電極３０の表面に結露水を発生させるべく霧化用電極３０を冷却させるためにペルチェ素子４が用いられている。このペルチェ素子４は給電されると上面が冷却面となって下面が放熱面となる水平面板状に形成されており、図１のように、冷却面となる上面を熱伝導性の良好な伝熱グリス６０を介して霧化用電極３０に固着された絶縁伝熱板４０の下面に当接させると共に、放熱面となる下面を熱伝導性の良好な放熱シート６１を介して放熱フィン５に当接させて、ハウジング内収納空間２１内に配設されている。ここで、本例では伝熱グリス６０にはシリコングリスを用い、放熱シート６１にはシリコンシートを用いており、いずれもペルチェ素子４の冷却面や放熱面にある微少凹凸を埋めて絶縁伝熱板４０や放熱フィン５への伝熱効率の向上を図ったものである。なお、ペルチェ素子４は冷却面と放熱面との間に発生する熱応力にて破損し易いものであり、また水にも弱いことからペルチェ素子４の周囲はポッティング樹脂７で封止されるのであり、このポッティング樹脂７の本体ハウジング６の外部への漏れ出しを防止するためにハウジング内収納空間２１内には樹脂漏れ防止材１２も配設されている。この樹脂漏れ防止材１２については後に詳述する。
【００２２】
ところで、霧化用水は霧化が行われる霧化用電極３０の霧化部３７でのみ必要であるから、本例では霧化用電極３０の霧化部３７（及び近傍部位）でのみ結露水を発生させるように、霧化用電極３０には断熱カバー６２が被着されている。この断熱カバー６２は良好な断熱性能を有する発泡樹脂体で形成されており、図３のように円盤状の本体部６３の中央部には上方に突出した膨出部６４（図１）が形成され、この膨出部６４の中央部には上下に貫通して霧化用電極３０の主体部３５を位置させてその表面を覆う電極貫通孔６５が穿設され、本体部６３の下面には小開口１３ａ１に嵌合させる嵌合突起６６が形成されており、本体部６３の側端面には筒部１４の内部孔１３の内面に径方向に複数条形成された上下に亙るガイド突条６７を挿通させる切欠孔状の突条挿通部６８が形成されている。この断熱カバー６２は、本体ハウジング６の筒部１４の内部孔１３にその上方開口１３ｂからガイド突条６７に突条挿通部６８をスライドガイドさせて挿入されるのであって桟材２４の上方位置の内部孔１３内に配設されるのであり、この断熱カバー６２によっては、霧化用電極３０の主体部３５の表面を覆わせて空気に触れる部位を霧化用電極３０の霧化部３７（及び近傍部位）に限定させることができ、過剰な結露水の生成が回避されているのである。
【００２３】
ここで、上記ペルチェ素子４からは、図６（ｃ）のように、ペルチェ素子４に給電するための給電用配線８が側方に延設されており、給電用配線８の先端には電源部（図示せず）から延出された電源線を接続するコネクタ１０が付設されている。なお、上記電源部は高電圧発生装置２と別個に設けても、高電圧発生装置２で兼用してもよい。この給電用配線８は、それぞれペルチェ素子４の放熱側電極から延設されて左右に並設した極性の異なる一対の金属線材８ａで構成されており、この金属線材８ａには自己保形性を備えるようにたとえば径０．５ｍｍ以上の金属線材８ａが用いられている。詳しくは、給電用配線８にはペルチェ素子４から延出して直ぐに斜め上外方に屈曲して斜め上方に向けて伸びる上傾斜部８０が形成され、この上傾斜部８０から屈曲して略垂直下方に向けて伸びる下傾斜部８１が形成され、上傾斜部８０の上端位置の約半分の高さ位置に相当する下傾斜部８１の部位から略水平外方に屈曲して略水平外方に向けて伸びる水平部８２が形成されていて、この水平部８２の先端にコネクタ１０が付設されている。すなわち、本例の給電用配線８は上傾斜部８０と下傾斜部８１とで上方に凸となる山状に形成されている。ペルチェ素子４をハウジング内収納空間２１に配設した際には、コネクタ１０は本体ハウジング６の外部に臨ませて設けたコネクタ収納部１１に収納されるのであり、給電用配線８はハウジング内収納空間２１からコネクタ収納部１１を連通する配線収納通路９に収納される。
【００２４】
コネクタ収納部１１は、図２や図４のように、本体ハウジング６の外部に面する本体ハウジング６の壁外面６９から外方に向けて一対の縦片７０を突設すると共に、これら縦片７０の各突出先端から縦片７０の対向方向にリップ片７１をそれぞれ突設し、これら壁外面６９と縦片７０とリップ片７１とで囲繞して形成された空間状の部位である。このコネクタ収納部１１には給電用配線８の先端に付設したコネクタ１０が壁外面６９と縦片７０とリップ片７１とで囲まれて嵌合状態で配置されるのであるが、コネクタ１０の着脱口１０ａは一対のリップ片７１の間から本体ハウジング６の側外方に臨むように位置されている。つまり、コネクタ収納部１１に収納したコネクタ１０の着脱口１０ａに電源線のプラグを押付けるように接続した際には上記押付力はコネクタ収納部１１の壁外面６９で受けられるのであり、またコネクタ１０の着脱口１０ａから電源線のプラグを引張るように外した場合には上記引張り力はコネクタ収納部１１のリップ片７１で受けられるのである。このようにコネクタ１０への電源線の着脱時の衝撃はコネクタ収納部１１で受けられるから、ペルチェ素子４にまで至ってしまうことはなく、コネクタ１０への電源線の着脱時の衝撃によってペルチェ素子４が破損してしまうことが防止されている。
【００２５】
配線収納通路９は、本体ハウジング６に形成した本体側凹所４７に後述の樹脂漏れ防止材１２の挿入突起体８４を挿入させて形成される隙間空間によって構成されている。本体ハウジング６の凹段部１６には上記コネクタ収納部１１に連通する凹段部延出部１６ａが形成されているが、配線収納通路９の本体側凹所７２は、図６（ａ）のように、上記凹段部１６の凹段部延出部１６ａにおける天井面を上方に凹ませたような金属線材８ａと略同幅の溝状凹所であり、この凹所は下方に開口するのみならず、一端では筒部１４の内部孔１３の下方開口１３ａの内縁面に開口し、他端では後述するコネクタ収納部１１に臨む壁外面６９に開口して形成されている。詳しくは、配線収納通路９の本体側凹所７２は、筒部１４の内部孔１３の下方開口１３ａに開口する部分から直ぐに斜め上外方に向けて凹没する上傾斜凹部７３を有し、上傾斜凹部７３の上端部位から略垂直下方に向けて凹没する下傾斜凹部７４を有し、上傾斜凹部７３の上端位置の約半分の高さ位置に相当する下傾斜凹部７４の部位から略水平外方に屈曲して略水平外方に向けて伸びる水平凹部７５が形成されていて、この水平凹部７５の先端がコネクタ収納部１１の壁外面６９に開口している。すなわち、上傾斜凹部７３と下傾斜凹部７４とで上方に凸の山状断面を有する凹み形状に形成されている。
【００２６】
樹脂漏れ防止材１２は、凹段部１６内にペルチェ素子４の側方を囲うようにして配置されるリング状の弾性樹脂体であって本例では断熱性に優れた発泡樹脂で製造されている。詳しくは、この樹脂漏れ防止材１２は、図３や図６（ｄ）のように、ペルチェ素子４を位置させる上下に貫通する矩形状の内孔７６が内部に形成されると共にその外径寸法が凹段部１６の内径寸法に略一致する矩形リング板状の本体部７７と、印加板収納部２２の本体側凹所４７の下方開口を塞ぐ矩形板状の印加板閉塞部７８と、配線収納通路９の本体側凹所７２の下方開口を塞ぐ矩形板状の配線閉塞部７９とを一体に有して形成されている。また、本体部７７の外径端面部分には適宜間隔に圧入突部８３が側方に向けて突設されており、配線閉塞部７９の上面には配線収納通路９の本体側凹所７２の内部に挿入する挿入突起体８４が上方に向けて突設されている。挿入突起体８４は給電用配線８と同形状の上方に凸となる山状に形成されており、詳しくは、内孔７６側から斜め上外方に傾斜する上傾斜凸部８５と、上傾斜凸部８５に連続して略垂直下方に傾斜する下傾斜凸部８６を有して構成されている。なお、給電用配線８は一対の金属線材８ａで構成されていて、配線収納通路９は各金属線材８ａに対応して設けられているから、配線収納通路９の本体側凹所７２は各金属線材８ａに対応する２条の凹所が並設されて構成され、挿入突起体８４も同様に２つの突起体が並設されて構成されている。
【００２７】
この樹脂漏れ防止材１２をハウジング内収納空間２１に配置したときには、本体ハウジング６の凹段部１６の内側面に圧入突部８３が弾接してこの凹段部１６内に圧入状態で嵌合され、樹脂漏れ防止材１２の挿入突起体８４が配線収納通路９の本体側凹所７２に下方から挿入される。詳しくは、本体側凹所７２の上傾斜凹部７３及び下傾斜凹部７４に挿入突起体８４の上傾斜凸部８５及び下傾斜凸部８６が挿入されるのであり、このときには、挿入突起体８４の上面が本体側凹所７２の天井面に所定間隔で対向配置されることで、ハウジング内収納空間２１からコネクタ収納部１１に至る配線収納通路９を構成する隙間空間が形成されるのである。このようにして形成される配線収納通路９は、対向する本体側凹所７２の上傾斜凹部７３と挿入突起体８４の上傾斜凸部８５とで斜め外上方に向けて延びる孔状の上傾斜路９０が形成され、対向する本体側凹所７２の下傾斜凹部７４と挿入突起体８４の下傾斜凸部８６とで略垂直下方に向けて延びる孔状の下傾斜路９１が形成され、対向する本体側凹所７２の水平凹部７５と樹脂漏れ防止材１２の上面とで略水平外方に向けて延びる水平路９２が形成されるのであって、給電用配線８に形状に合致するように形成されている。つまり、配線収納通路９に配設された給電用配線８は、その上傾斜部８０が配線収納通路９の上傾斜路９０に、下傾斜部８１は下傾斜路９１に、水平部８２は水平路９２にそれぞれ配置されるのであって、配線収納通路９内に収納配設されるようになっている。なお、本例ではこの配線収納通路９には接着剤８７（図１）が充填されて給電用配線８を本体ハウジング６に固着させている。
【００２８】
上述のようにペルチェ素子４の周囲はポッティング樹脂７にて封止される。具体的にはハウジング内収納空間２１におけるペルチェ素子４と樹脂漏れ防止材１２との間の空間（つまり樹脂漏れ防止材１２の内孔７６の内部位）にポッティング樹脂７が注入されるのであるが、このポッティング樹脂７はペルチェ素子４の防水や放熱面と冷却面との間に生じる熱応力に対する耐久強度の向上などを期するものなので、少なくともペルチェ素子４の周囲を封止すればよい。ペルチェ素子４の周囲をポッティング樹脂７で封止するには、図７のように、ポッティング樹脂７を注入させるポッティング樹脂注入管８８を本体ハウジング６の内部孔１３の上方開口１３ｂからハウジング内収納空間２１に挿入し、ポッティング樹脂７を注入してこのポッティング樹脂７を硬化させることで行われるのであるが、このポッティング樹脂７の注入作業は、後述のように凹段部１６内にペルチェ素子４等を収納した後で断熱カバー６２を筒部１４内に装着する前に行われるのであって、内部孔１３の下方開口１３ａを縁取る縁突壁２３に上下に穿設した切欠孔２３ａからポッティング樹脂注入管８８を、少なくとも絶縁伝熱板４０よりも下方位置にまで挿入し、ポッティング樹脂７を樹脂漏れ防止材１２の内孔７６内に注入するといったことで行われている。これによると、ポッティング樹脂７がペルチェ素子４の周囲に行き渡らなかったり、硬化したポッティング樹脂７の内部に空気が残留してしまったりする不具合を極力無くすることができ、ポッティング樹脂７によるペルチェ素子４の周囲の封止に良好な仕上りが確保されている。
【００２９】
ところで、上記ペルチェ素子４を封止するポッティング樹脂７にあっては、従来の静電霧化装置１ではその注入圧にて給電用配線８を構成する一対の金属線材８ａが撓んで接触することで短絡するといった恐れや本体ハウジング６内に注入したポッティング樹脂７が本体ハウジング６外に漏れ出す恐れがあったが、本例の静電霧化装置１では上記給電用配線８の短絡やポッティング樹脂７の漏れ出しを有効に防止する工夫が施されている。
【００３０】
すなわち、本例の給電用配線８は、上述のように自己保形性のある金属線材８ａで構成されている。しかして、ポッティング樹脂７の注入圧を受けても給電用配線８を構成する金属線材８ａの形状はそのまま維持されるのであって、従来のように金属線材８ａが撓んで金属線材８ａ同士が短絡してしまうといったことが防止されているのである。
【００３１】
また、ポッティング樹脂７の漏れ出しの形態の一つに、ポッティング樹脂７が給電用配線８を伝って本体ハウジング６外に漏れ出すといった形態が考えられるが、本例のペルチェ素子４から延設された給電用配線８には、斜め上外方に向かう上傾斜部８０を形成し、この給電用配線８を収納した配線収納通路９に斜め上外方に向かう上傾斜路９０を形成すると共に、配線収納通路９の下面（挿入突起体８４の上面）の高さ位置をペルチェ素子４よりも上方位置に位置させたことから、ペルチェ素子４の周囲を封止するポッティング樹脂７が給電用配線８を伝って配線収納通路９内に入り込んだとしても、ポッティング樹脂７は配線収納通路９内で留まるものであって、本体ハウジング６の外方に漏れ出すことを防止できる。詳しくは、図１のように、本例の配線収納通路９の下面（挿入突起体８４の上面）の上端部位における高さ位置は、内筒１４の内部孔１３の下方開口１３ａの高さ位置に位置しており、ポッティング樹脂７はハウジング内収納空間２１を満たすように（凹段部１６の天井面に至るように）充填されていて、ペルチェ素子４は勿論、給電用配線８がペルチェ素子４から延出して配線収納通路９に導入されるまでの部位も封止しているが、このポッティング樹脂７は挿入突起体８４の上端部分の手前で配線収納通路９内に留まるのであって本体ハウジング６の外方への漏れ出しは防止されている。更に言うと、本例では、給電用配線８を収納した配線収納通路９内には接着剤８７が充填されていて、この接着剤８７によって給電用配線８を収納した配線収納通路９は完全に塞がれた状態にされているから、配線収納通路９を介してのポッティング樹脂７の漏れは確実に防止されているのである。
【００３２】
また、ポッティング樹脂７の漏れ出しの形態の一つに、ポッティング樹脂７が樹脂漏れ防止材１２と放熱フィン５の上面及び本体ハウジング６の下面との間から本体ハウジング６外に漏れ出すといった形態が考えられる。これに対して本例では、樹脂漏れ防止材１２の上面及び下面にはそれぞれ全周に亙るリング突条９３，９４を形成することで、有効に対処をしている。詳しくは、樹脂漏れ防止材１２の上面のリング突条９３は、内孔７６の上方開口縁に亙る孔縁突条部９３ａと、印加板閉塞部７８の外縁に亙る板縁突条部９３ｂとで構成されている。また、樹脂漏れ防止材１２の下面のリング突条９４は、内孔７６の下方開口縁に亙る孔縁突条部９４ａと、印加板閉塞部７８の外縁及び配線閉塞部７９の外縁にそれぞれ亙る板縁突条部９４ｂ，９４ｃとで構成されている。本体ハウジング６を放熱フィン５に載置固定するには上述のようにネジ２０の締め付けによって行うのであるが、このネジ２０の締め付けによって樹脂漏れ防止材１２の下面のリング突条９４を放熱フィン５の上面に弾接させ、樹脂漏れ防止材１２の上面のリング突条９３を本体ハウジング６の下面に弾接させている。詳しくは、樹脂漏れ防止材１２の上面のリング突条９３において、孔縁突条部９３ａは本体ハウジング６の凹段部１６の天井面に弾接されるのであり、板縁突条部９３ｂは印加板収納部２２の本体側凹所４７に挿入した印加板押え材２９の底片５５の下面に弾接される。ポッティング樹脂７はペルチェ素子４の周囲、すなわちリング状の樹脂漏れ防止材１２の内孔７６内に注入されるが、この樹脂漏れ防止材１２の上面及び下面に設けた各リング突条９３，９４が本体ハウジング６の下面（凹段部１６の天井面）及び放熱フィン５の上面にそれぞれ高い圧力で弾接されてシールされるから、本体ハウジング６と放熱フィン５との間からもポッティング樹脂７が本体ハウジング６外に漏れ出すことが有効に防止されているのである。
【００３３】
なお、上記構成の本例の静電霧化装置１における静電霧化ユニット１ａは、以下のようにして組み立て製造される。まず、本体ハウジング６の印加板収納部２２の本体側凹所４７内に高圧印加板４１を配置する。次に、絶縁伝熱板４０を主体部３５に固着してなる霧化用電極３０を高圧印加板４１の電極接続部４３と接続させて本体ハウジング６内に配設する。次に、印加板押え材２９を印加板収納部２２の本体側凹所４７に挿入して印加板収納部２２に高圧印加板４１を収納配設する。次に、ペルチェ素子４の冷却面または絶縁伝熱板４０の下面に伝熱グリス６０を塗布し、ペルチェ素子４をハウジング内収納空間２１に配置する。このとき、給電用配線８は配線収納通路９の本体側凹所７２内に配置され、コネクタ１０はコネクタ収納部１１に嵌合配置される。次に、樹脂漏れ防止材１２を本体ハウジング６の凹段部１６内に配設する。このとき、樹脂漏れ防止材１２の挿入突起体８４が配線収納通路９の本体側凹所７２内に挿入され、配線収納通路９には給電用配線８が収納配設される。次に、ペルチェ素子４の冷却面と放熱フィン５との間に放熱シート６１を介在させ、本体ハウジング６を放熱フィン５にワッシャ１９及びネジ２０を用いて載置固定する。次に、ペルチェ素子４の周囲をポッティング樹脂７にて封止する。次に、断熱カバー６２を本体ハウジング６の内部孔１３内に配設する。最後に、対向電極３１を本体ハウジング６の内部孔１３の上方開口１３ｂに被着する。以上のようにして本例の静電霧化ユニット１ａは組立てられているのである。
【図面の簡単な説明】
【００３４】
【図１】本発明の実施の形態の例の静電霧化装置の断面図である。
【図２】同上の静電霧化装置の静電霧化ユニットの斜視図である。
【図３】同上の静電霧化ユニットの分解斜視図である。
【図４】同上の静電霧化ユニットの断面斜視図である。
【図５】同上の静電霧化ユニットの他の断面斜視図である。
【図６】（ａ）は本体ハウジングの断面図であり、（ｂ）は霧化用電極の断面図であり、（ｃ）はペルチェ素子の断面図であり、（ｄ）は樹脂漏れ防止材の断面図であり、（ｅ）は印加板押え材の断面図である。
【図７】同上のポッティング樹脂の注入を説明する説明図である。
【図８】従来技術の静電霧化装置の分解斜視図である。
【符号の説明】
【００３５】
１  静電霧化装置
１ａ  静電霧化ユニット
２  高電圧発生装置
３  霧化電極
４  ペルチェ素子
５  放熱フィン
６  本体ハウジング
７  ポッティング樹脂
８  給電用配線
９  配線収納通路
１０  コネクタ
１１  コネクタ収納部
６９  壁外面
７０  縦片
７１  リップ片
８０  上傾斜部
９０  上傾斜路
９３  リング突条
９４  リング突条
１１  コネクタ収納部
１２  樹脂漏れ防止材
【図１】
2007021371.tif 000003
【図２】
2007021371.tif 000004
【図３】
2007021371.tif 000005
【図４】
2007021371.tif 000006
【図５】
2007021371.tif 000007
【図６】
2007021371.tif 000008
【図７】
2007021371.tif 000009
【図８】
2007021371.tif 000010